(57)【要約】【課題】無線リンクの接続の確立を安定させること。【解決手段】データ受信部１０６は、自セルに割り当てられた周波数ｆ１を用いて信号を受信し、受信データを生成して制御部１１０へ出力する。制御部１１０は、受信データに基づいてランダムアクセスチャネル（ＲＡＣＨ）の送信が失敗することが予想されるか否かを判定する。制御部１１０は、この判定の結果に応じて、ＲＡＣＨ送信を一時的に停止してＲＡＣＨ送信の停止期間中に周波数ｆ１と異なる周波数を用いたセルサーチを行わせるか否かを制御するための制御信号を生成する。ランダムアクセスチャネル送信部１０４は、制御信号に従ってＲＡＣＨを送信する。セルサーチ部１０８は、制御信号に従ってＲＡＣＨ送信の停止期間中に周波数ｆ１と異なる周波数を用いたセルサーチを行う。【選択図】      図１
2004165979.tif 000002
【特許請求の範囲】
【請求項１】
複数の周波数の各々を用いてセルサーチを行うセルサーチ手段と、
前記複数の周波数の一の周波数を用いて信号を受信して受信データを生成する受信手段と、
ランダムアクセスチャネルを送信する送信手段と、
前記受信手段によって生成された前記受信データに基づいて前記ランダムアクセスチャネルの送信処理を一時的に停止して前記送信処理の停止期間中に前記複数の周波数の他の周波数を用いてセルサーチを行わせるか否かを制御するように前記送信手段および前記セルサーチ手段を制御する制御手段と、
を具備することを特徴とする移動通信端末装置。
【請求項２】
前記制御手段は、
前記受信手段によって生成された前記受信データに基づいて受信レベルを測定する受信レベル測定手段を具備し、
前記受信レベル測定手段によって測定された前記受信レベルが所定値以下である場合に前記ランダムアクセスチャネルの送信処理を一時的に停止して前記送信処理の停止期間中に前記複数の周波数の他の周波数を用いてセルサーチを行わせるように前記送信手段および前記セルサーチ手段を制御することを特徴とする請求項１記載の移動通信端末装置。
【請求項３】
前記制御手段は、
前記受信手段によって生成された前記受信データに基づいて受信品質を測定する受信品質測定手段を具備し、
前記受信品質測定手段によって測定された前記受信品質が所定値以下である場合に前記ランダムアクセスチャネルの送信処理を一時的に停止して前記送信処理の停止期間中に前記複数の周波数の他の周波数を用いてセルサーチを行わせるように前記送信手段および前記セルサーチ手段を制御することを特徴とする請求項１記載の移動通信端末装置。
【請求項４】
前記制御手段は、
前記受信手段によって生成された前記受信データに基づいて伝搬損失を算出する伝搬損失算出手段を具備し、
前記伝搬損失算出手段によって算出された前記伝搬損失が所定値以上である場合に前記ランダムアクセスチャネルの送信処理を一時的に停止して前記送信処理の停止期間中に前記複数の周波数の他の周波数を用いてセルサーチを行わせるように前記送信手段および前記セルサーチ手段を制御することを特徴とする請求項１記載の移動通信端末装置。
【請求項５】
前記制御手段は、
前記受信手段によって生成された前記受信データに基づいて前記送信手段の前記送信処理が成功した確率を算出して送信成功率を生成する送信成功率算出手段を具備し、
前記送信成功率算出手段によって生成された前記送信成功率が所定値以下である場合に前記ランダムアクセスチャネルの送信処理を一時的に停止して前記送信処理の停止期間中に前記複数の周波数の他の周波数を用いてセルサーチを行わせるように前記送信手段および前記セルサーチ手段を制御することを特徴とする請求項１記載の移動通信端末装置。
【請求項６】
複数の周波数の各々を用いてセルサーチを行うセルサーチステップと、
前記複数の周波数の一の周波数を用いて信号を受信して受信データを生成する受信ステップと、
ランダムアクセスチャネルを送信する送信ステップと、
前記受信ステップにおいて生成された前記受信データに基づいて前記ランダムアクセスチャネルの送信処理を一時的に停止して前記送信処理の停止期間中に前記複数の周波数の他の周波数を用いてセルサーチを行わせるように前記送信ステップにおける前記送信処理および前記セルサーチステップにおける前記セルサーチを制御する制御ステップと、
を具備することを特徴とする移動通信方法。
【発明の詳細な説明】
【０００１】
【発明の属する技術分野】
本発明は、移動通信システムにおける移動通信端末装置および移動通信方法に関する。
【０００２】
【従来の技術】
移動通信システムは、サービスエリアを複数の基地局装置で覆う構成（セル構成）を有している。移動通信端末装置（移動局装置）は、移動によるセルの切り替え（ハンドオーバ）に先立ち、周辺セルの探索および測定（以下「セルサーチ」と言う）を行って切り替え先のセルを選定する。符号分割多元接続（ＣＤＭＡ：Ｃｏｄｅ  Ｄｉｖｉｓｉｏｎ  Ｍｕｌｔｉｐｌｅ  Ａｃｃｅｓｓ）方式を用いた移動通信システムにおいては、ハンドオーバの時に同時に複数のセルとの通信（ソフトハンドオーバ）を行うことができる。このため、通常のセルサーチは、通信中のセルに割り当てられている周波数と同一の周波数を用いて行われる。一方、割り当てられている周波数がセル間で異なる構成を有する移動通信システムおよび異なる周波数を用いる移動通信システムが隣接している移動通信システムの場合、複数の周波数の各々を用いてセルサーチを行う必要がある。
【０００３】
従来の移動通信端末装置は、基地局装置と無線リンクの接続を確立する時、上り共通チャネルであるランダムアクセスチャネル（ＲＡＣＨ：Ｒａｎｄｏｍ  Ａｃｃｅｓｓ  ＣＨａｎｎｅｌ）を基地局装置へ送信する（たとえば、特許文献１参照）。基地局装置は、このＲＡＣＨの送信に対して下り共通チャネルである同期検出表示チャネル（ＡＩＣＨ：Ａｃｑｕｉｓｉｔｉｏｎ  Ｉｎｄｉｃａｔｉｏｎ  ＣＨａｎｎｅｌ）を移動通信端末装置へ送信して、ＲＡＣＨが届いたかどうかを移動通信端末装置に通知する。移動通信端末装置は、ＲＡＣＨを送信している時に、現在接続しているセル（以下「自セル」と言う）に割り当てられた周波数でＡＩＣＨを受信する必要がある。移動通信端末装置が１系統のみの受信系を有する場合、ＲＡＣＨ送信時に自セルの周波数と異なる周波数を割り当てられたセルに対してセルサーチを行うことは不可能である。
【０００４】
ここで、従来の移動通信端末装置における複数の周波数の各々を用いたセルサーチについて図面を用いて説明する。
【０００５】
図６は、従来の移動通信端末装置の構成の一例を示すブロック図である。図６に示す移動通信端末装置６００は、アンテナ６０２、送信部６０４、受信部６０６、セルサーチ部６０８、ランダムアクセス制御部６１０およびセルサーチ制御部６１２を具備している。
【０００６】
送信部６０４は、アンテナ６０２を介してＲＡＣＨを送信する。ランダムアクセス制御部６１０は、送信部６０４を制御する。また、ランダムアクセス制御部６１０は、送信部６０４を制御する時に、ＲＡＣＨの送信処理が行われることをセルサーチ制御部６１２に通知する。セルサーチ制御部６１２は、ランダムアクセス制御部６１０からの通知に基づいてセルサーチ部６０８を制御する。受信部６０６は、基地局装置から送信された信号（ＡＩＣＨ）をアンテナ６０２を介して受信して受信データを生成する。セルサーチ部６０８は、セルサーチを行う。
【０００７】
次いで、上記構成を有する移動通信端末装置６００の動作について説明する。図７は、従来の移動通信端末装置におけるＲＡＣＨの送信および複数の周波数の各々を用いたセルサーチの動作の一例を説明するための図である。
【０００８】
セルサーチ部６０８は、複数の周波数の各々を用いてセルサーチを行う。具体的には、図７に示すように、セルサーチ部６０８は、所定期間において自セルに割り当てられた周波数ｆ１を用いて周波数ｆ１を割り当てられたセルに対してセルサーチを行う。そして、セルサーチ部６０８は、所定の間隔を空けて周波数ｆ１を割り当てられたセルに対するセルサーチを繰り返す。セルサーチ部６０８は、その間隔において周波数ｆ１と異なる周波数を割り当てられたセルに対してセルサーチを行う。以下、周波数ｆ１と異なる複数の周波数を周波数ｆＮ、ｆＮ＋１、…（Ｎは２以上の整数）として説明する。
【０００９】
ランダムアクセス制御部６１０は、ＲＡＣＨの送信の要求があった時に上り共通チャネルであるＲＡＣＨを送信するように送信部６０４を制御する。送信部６０４によって送信されるＲＡＣＨは、図７に示すように、プリアンブルおよびメッセージから構成されている。プリアンブルの送信に対して、自セルの基地局装置は、下り共通チャネルであるＡＩＣＨを送信する。受信部６０６は、このＡＩＣＨを自セルの周波数ｆ１を用いて受信する必要がある。そのため、まず、ランダムアクセス制御部６１０は、ＲＡＣＨの送信を行うことをセルサーチ制御部６１２に通知する。そして、セルサーチ制御部６１２は、ランダムアクセス制御部６１０からの通知に基づいて、周波数ｆＮ、ｆＮ＋１、…を割り当てられたセルに対するセルサーチを行わせずに周波数ｆ１を割り当てられたセルに対するセルサーチだけを行わせるようにセルサーチ部６０８を制御する。すなわち、従来の移動通信端末装置６００は、自セルの周波数ｆ１と異なる周波数ｆＮ、ｆＮ＋１、…を割り当てられたセルに対するセルサーチよりも自セルの基地局装置に対するＲＡＣＨの送信の方を常に無条件に優先している。
【００１０】
【特許文献１】
特開２００１−３１３９６８号公報（第４−６頁）
【００１１】
【発明が解決しようとする課題】
しかしながら、悪い伝搬環境の下では移動通信端末装置から送信されたＲＡＣＨが自セルの基地局装置まで届かない場合があり、かつ、移動通信端末装置が現在の自セルから現在の自セルと異なる周波数を割り当てられたセルに切り替えた後にＲＡＣＨを送信した方が無線リンクの接続をより容易に確立できる場合があるにもかかわらず、ＲＡＣＨの送信中においては自セルの周波数のみしか用いることができないので、無線リンクの接続の確立が不安定であるという問題があった。
【００１２】
本発明は、かかる点に鑑みてなされたものであり、無線リンクの接続の確立を安定させることができる移動通信端末装置および移動通信方法を提供することを目的とする。
【００１３】
【課題を解決するための手段】
本発明の移動通信端末装置は、複数の周波数の各々を用いてセルサーチを行うセルサーチ手段と、前記複数の周波数の一の周波数を用いて信号を受信して受信データを生成する受信手段と、ランダムアクセスチャネルを送信する送信手段と、前記受信手段によって生成された前記受信データに基づいて前記ランダムアクセスチャネルの送信処理を一時的に停止して前記送信処理の停止期間中に前記複数の周波数の他の周波数を用いてセルサーチを行わせるか否かを制御するように前記送信手段および前記セルサーチ手段を制御する制御手段と、を具備する構成を採る。
【００１４】
この構成によれば、受信手段によって生成された受信データに基づいてランダムアクセスチャネルを送信する送信手段だけでなく複数の周波数の各々を用いてセルサーチを行うセルサーチ手段も制御するため、生成された受信データに基づいてランダムアクセスチャネルの送信処理が失敗すると予想されるか否かに応じてランダムアクセスチャネルの送信処理および他の周波数を用いたセルサーチのいずれかを優先することができるから、無線リンクの接続の確立を安定させることができる。
【００１５】
本発明の移動通信端末装置は、上記構成において、前記制御手段が、前記受信手段によって生成された前記受信データに基づいて受信レベルを測定する受信レベル測定手段を具備し、前記受信レベル測定手段によって測定された前記受信レベルが所定値以下である場合に前記ランダムアクセスチャネルの送信処理を一時的に停止して前記送信処理の停止期間中に前記複数の周波数の他の周波数を用いてセルサーチを行わせるように前記送信手段および前記セルサーチ手段を制御する構成を採る。
【００１６】
この構成によれば、上記効果に加えて、受信データに基づいて受信レベルを測定し、測定された受信レベルが所定値以下である場合にランダムアクセスチャネルの送信処理を一時的に停止して送信処理の停止期間中に複数の周波数の他の周波数を用いたセルサーチを行わせるように送信手段およびセルサーチ手段を制御するため、測定された受信レベルに基づいてランダムアクセスチャネルの送信処理が失敗すると予想される場合にランダムアクセスチャネルの送信処理よりも他の周波数を用いたセルサーチを優先することができるから、無線リンクの接続の確立を安定させることができる。
【００１７】
本発明の移動通信端末装置は、上記構成において、前記制御手段が、前記受信手段によって生成された前記受信データに基づいて受信品質を測定する受信品質測定手段を具備し、前記受信品質測定手段によって測定された前記受信品質が所定値以下である場合に前記ランダムアクセスチャネルの送信処理を一時的に停止して前記送信処理の停止期間中に前記複数の周波数の他の周波数を用いてセルサーチを行わせるように前記送信手段および前記セルサーチ手段を制御する構成を採る。
【００１８】
この構成によれば、上記効果に加えて、受信データに基づいて受信品質を測定し、測定された受信品質が所定値以下である場合にランダムアクセスチャネルの送信処理を一時的に停止して送信処理の停止期間中に複数の周波数の他の周波数を用いたセルサーチを行わせるように送信手段およびセルサーチ手段を制御するため、測定された受信品質に基づいてランダムアクセスチャネルの送信処理が失敗すると予想される場合にランダムアクセスチャネルの送信処理よりも他の周波数を用いたセルサーチを優先することができるから、無線リンクの接続の確立を安定させることができる。
【００１９】
本発明の移動通信端末装置は、上記構成において、前記制御手段が、前記受信手段によって生成された前記受信データに基づいて伝搬損失を算出する伝搬損失算出手段を具備し、前記伝搬損失算出手段によって算出された前記伝搬損失が所定値以上である場合に前記ランダムアクセスチャネルの送信処理を一時的に停止して前記送信処理の停止期間中に前記複数の周波数の他の周波数を用いてセルサーチを行わせるように前記送信手段および前記セルサーチ手段を制御する構成を採る。
【００２０】
この構成によれば、上記効果に加えて、受信データに基づいて伝搬損失を算出して、算出された伝搬損失が所定値以上である場合にランダムアクセスチャネルの送信処理を一時的に停止して送信処理の停止期間中に複数の周波数の他の周波数を用いたセルサーチを行わせるように送信手段およびセルサーチ手段を制御するため、算出された伝搬損失に基づいてランダムアクセスチャネルの送信処理が失敗すると予想される場合にランダムアクセスチャネルの送信処理よりも他の周波数を用いたセルサーチを優先することができるから、無線リンクの接続の確立を安定させることができる。
【００２１】
本発明の移動通信端末装置は、上記構成において、前記制御手段が、前記受信手段によって生成された前記受信データに基づいて前記送信手段の前記送信処理が成功した確率を算出して送信成功率を生成する送信成功率算出手段を具備し、前記送信成功率算出手段によって生成された前記送信成功率が所定値以下である場合に前記ランダムアクセスチャネルの送信処理を一時的に停止して前記送信処理の停止期間中に前記複数の周波数の他の周波数を用いてセルサーチを行わせるように前記送信手段および前記セルサーチ手段を制御する構成を採る。
【００２２】
この構成によれば、上記効果に加えて、受信データに基づいて送信処理が成功した確率を算出して送信成功率を生成して、生成された送信成功率が所定値以下である場合にランダムアクセスチャネルの送信処理を一時的に停止して送信処理の停止期間中に複数の周波数の他の周波数を用いたセルサーチを行わせるように送信手段およびセルサーチ手段を制御するため、生成された送信成功率に基づいてランダムアクセスチャネルの送信処理が失敗すると予想される場合にランダムアクセスチャネルの送信処理よりも他の周波数を用いたセルサーチを優先することができるから、無線リンクの接続の確立を安定させることができる。
【００２３】
本発明の移動通信方法は、複数の周波数の各々を用いてセルサーチを行うセルサーチステップと、前記複数の周波数の一の周波数を用いて信号を受信して受信データを生成する受信ステップと、ランダムアクセスチャネルを送信する送信ステップと、前記受信ステップにおいて生成された前記受信データに基づいて前記ランダムアクセスチャネルの送信処理を一時的に停止して前記送信処理の停止期間中に前記複数の周波数の他の周波数を用いてセルサーチを行わせるように前記送信ステップにおける前記送信処理および前記セルサーチステップにおける前記セルサーチを制御する制御ステップと、を具備するようにした。
【００２４】
この方法によれば、受信ステップにおいて生成された受信データに基づいて送信ステップにおけるランダムアクセスチャネルの送信処理だけでなくセルサーチステップにおける複数の周波数の各々を用いたセルサーチ処理も制御するため、たとえば、生成された受信データに基づいてランダムアクセスチャネルの送信処理が失敗すると予想されるか否かに応じてランダムアクセスチャネルの送信処理および他の周波数を用いたセルサーチのいずれかを優先することができるから、無線リンクの接続の確立を安定させることができる。
【００２５】
【発明の実施の形態】
本発明の骨子は、受信データに基づいてランダムアクセスチャネルの送信処理を一時的に停止して送信処理の停止期間中に複数の周波数のうち信号を受信する周波数と異なる複数の周波数を用いたセルサーチを行わせるか否かを制御することである。
【００２６】
以下、本発明の実施の形態について、図面を参照して詳細に説明する。
【００２７】
（実施の形態１）
図１は、本発明の実施の形態１に係る移動通信端末装置の構成を示すブロック図である。
【００２８】
図１に示す移動通信端末装置１００は、アンテナ１０２、ランダムアクセスチャネル送信部１０４、データ受信部１０６、セルサーチ部１０８および制御部１１０を具備している。
【００２９】
ランダムアクセスチャネル送信部１０４の入力端子は、制御部１１０に接続されている。ランダムアクセスチャネル送信部１０４の出力端子は、アンテナ１０２に接続されている。データ受信部１０６の入力端子は、アンテナ１０２に接続されている。セルサーチ部１０８の入力端子は、アンテナ１０２および制御部１１０に接続されている。制御部１１０の入力端子は、データ受信部１０６に接続されている。
【００３０】
データ受信部１０６は、自セルの基地局装置から送信された信号を自セルに割り当てられた周波数ｆ１を用いてアンテナ１０２を介して受信して受信データを生成する。データ受信部１０６は、生成された受信データを制御部１１０へ出力する。また、データ受信部１０６は、ランダムアクセスチャネル送信部１０４からランダムアクセスチャネル（以下「ＲＡＣＨ」と言う）が送信された時に、ＲＡＣＨ送信に対して基地局装置から送信された同期検出表示チャネル（以下「ＡＩＣＨ」と言う）を自セルに割り当てられた周波数（以下「周波数ｆ１」と言う）を用いてアンテナ１０２を介して受信する。
【００３１】
ランダムアクセスチャネル送信部１０４は、制御部１１０からの制御信号に基づいて、ＲＡＣＨをアンテナ１０２を介して自セルの基地局装置へ送信する。ランダムアクセスチャネル送信部１０４は、制御部１１０から所定の制御信号（以下「ＲＡＣＨ制御信号」と言う）を得た時にＲＡＣＨを送信する。ここで、送信されるＲＡＣＨは、図７に示すとおりプリアンブルおよびメッセージから構成される。また、ランダムアクセスチャネル送信部１０４は、制御部１１０からＲＡＣＨ制御信号を得ない時にＲＡＣＨを送信しない。
【００３２】
制御部１１０は、ランダムアクセスが要求されている時に、ＲＡＣＨ制御信号を生成してランダムアクセスチャネル送信部１０４へ出力する。
【００３３】
ここで、ランダムアクセスが要求されているか否かを認識するための動作の例について説明する。第１の動作例は、移動通信端末装置１００に着信があった場合の動作である。この場合、ランダムアクセス要求は基地局装置から送信される。そして、データ受信部１０６がアンテナ１０２を介してランダムアクセス要求を受信してランダムアクセス要求を含む受信データを生成して制御部１１０へ出力する。そして、制御部１１０は、データ受信部から得られた受信データに基づいてランダムアクセス要求を認識して、ＲＡＣＨ制御信号をランダムアクセスチャネル送信部１０４へ出力する。第２の動作例は、移動通信端末装置１００が発信を行う場合の動作である。この場合、制御部１１０は、移動通信端末装置１００のユーザの操作による発信要求を受ける。そして、制御部１１０は、ユーザの操作による発信要求を得ることによってランダムアクセス要求を認識して、ＲＡＣＨ制御信号をランダムアクセスチャネル送信部１０４へ出力する。第３の動作例において、移動通信端末装置１００の移動によって通信網に対して位置登録を行う必要が発生した場合にもランダムアクセスが要求される。この場合、制御部１１０は、位置登録の必要が発生した時にランダムアクセス要求を認識して、ＲＡＣＨ制御信号をランダムアクセスチャネル送信部１０４へ出力する。
【００３４】
また、制御部１１０は、データ受信部１０６から得られた受信データに基づいて、ランダムアクセスチャネル受信部１０６およびセルサーチ部１０８を制御する。
【００３５】
具体的には、制御部１１０は、受信データに基づいて、ランダムアクセスチャネル送信部１０４によるＲＡＣＨ送信が失敗する（すなわち、送信されたＲＡＣＨが自セルの基地局装置に届かない）ことが予想されるか否かを判定する。ランダムアクセスチャネル送信部１０４によるＲＡＣＨ送信が失敗することが予想されるか否かの判定においてＲＡＣＨ送信が失敗すると予想されなかった場合、制御部１１０は、第１の制御信号（以下「第１セルサーチ制御信号」と言う）をセルサーチ部１０８へ出力する。一方、ＲＡＣＨ送信が失敗すると予想された場合、制御部１１０は、ランダムアクセスチャネル送信部１０４へのＲＡＣＨ制御信号の出力を一時的に停止してその停止期間中に第２の制御信号（以下「第２セルサーチ制御信号」と言う）をセルサーチ部１０８へ出力する。
【００３６】
セルサーチ部１０８は、制御部１１０からの制御信号に基づいて、複数の周波数の各々を用いてセルサーチを行う。具体的には、セルサーチ部１０８は、制御部１１０から第１セルサーチ制御信号を得た時に周波数ｆ１を用いて、周波数ｆ１を割り当てられたセルに対してセルサーチを行う。また、セルサーチ部１０８は、制御部１１０から第２セルサーチ制御信号を得た時に周波数ｆ１と異なる複数の周波数ｆＮ、ｆＮ＋１、…（Ｎは２以上の整数）の各々を用いて、周波数ｆ１と異なる複数の周波数ｆＮ、ｆＮ＋１、…の各々を割り当てられたセルに対してセルサーチを行う。
【００３７】
すなわち、ＲＡＣＨ送信が失敗すると予想されない場合、ＲＡＣＨの送信処理を優先的に実行して周波数ｆ１を用いたセルサーチを実行する。一方、ＲＡＣＨ送信が失敗すると予想される場合、ＲＡＣＨの送信処理を停止して周波数ｆ１と異なる複数の周波数ｆＮ、ｆＮ＋１、…の各々を用いたセルサーチを優先的に実行することができる。
【００３８】
このように、実施の形態１によれば、データ受信部１０６によって生成された受信データに基づいてランダムアクセスチャネル送信部１０４だけでなくセルサーチ部１０８も制御するため、ランダムアクセスチャネル送信部１０４によるＲＡＣＨ送信が失敗すると予想されるか否かに応じてＲＡＣＨの送信処理および周波数ｆ１と異なる複数の周波数ｆＮ、ｆＮ＋１、…の各々を用いたセルサーチのいずれかを優先することができるから、無線リンクの接続の確立を安定させることができる。
【００３９】
（実施の形態２）
図２は、本発明の実施の形態２に係る移動通信端末装置の構成を示すブロック図である。なお、実施の形態２に係る移動通信端末装置２００は、実施の形態１に係る移動通信端末装置１００と同様の基本的構成を有しており、同一の構成要素には同一の参照符号を付して、その説明を省略する。
【００４０】
図２に示す移動通信端末装置２００は、移動通信端末装置１００における制御部１１０の代わりに制御部２０２を具備して成るものである。制御部２０２は、ランダムアクセス制御部２０４、受信レベル測定部２０６、セルサーチ制御部２０８および受信レベル判定部２１０を具備している。
【００４１】
ランダムアクセスチャネル送信部１０４の入力端子は、ランダムアクセス制御部２０４に接続されている。ランダムアクセスチャネル送信部１０４の出力端子は、アンテナ１０２に接続されている。データ受信部１０６の入力端子は、アンテナ１０２に接続されている。セルサーチ部１０８の入力端子は、アンテナ１０２およびセルサーチ制御部２０８に接続されている。ランダムアクセス制御部２０４の入力端子は、受信レベル判定部２１０に接続されている。受信レベル測定部２０６の入力端子は、データ受信部１０６に接続されている。セルサーチ制御部２０８の入力端子は、受信レベル判定部２１０に接続されている。受信レベル判定部２１０の入力端子は、受信レベル測定部２０６に接続されている。
【００４２】
ランダムアクセス制御部２０４は、ランダムアクセスが要求されている時に、ＲＡＣＨ制御信号を生成してランダムアクセスチャネル送信部１０４へ出力する。また、ランダムアクセス制御部２０４は、受信レベル判定部２１０から停止信号を得た場合、ランダムアクセスチャネル送信部１０４へのＲＡＣＨ制御信号の出力を一時的に停止する。
【００４３】
ここで、ランダムアクセスが要求されていることを認識するため構成の例およびその動作について説明する。
【００４４】
まず、第１の例として、ランダムアクセス制御部２０４は、基地局装置から送信されたランダムアクセス要求を認識する呼処理部を具備する構成であっても良い。この場合、ランダムアクセス制御部２０４の入力端子は、データ受信部１０６に接続されている。このような構成において、ランダムアクセス要求が基地局装置から送信された時、データ受信部１０６は、アンテナ１０２を介してランダムアクセス要求を受信する。そして、受信されたランダムアクセス要求を含む受信データを生成して呼処理部へ出力する。呼処理部は、データ受信部１０６から得られた受信データからランダムアクセス要求があることを認識して要求信号を生成する。そして、ランダムアクセス制御部２０４は、呼処理部によって生成された要求信号に基づいてＲＡＣＨ制御信号を生成してランダムアクセスチャネル送信部１０４へ出力する。
【００４５】
第２の例として、ランダムアクセス制御部２０４は、移動通信端末装置２００のユーザの操作による発信要求を取得することによってランダムアクセス要求を認識する呼処理部を具備する構成であっても良い。この場合、呼処理部は、ユーザの操作による発信要求を取得した時にランダムアクセス要求を認識して、要求信号を生成する。そして、ランダムアクセス制御部２０４は、呼処理部によって生成された要求信号に基づいてＲＡＣＨ制御信号を生成してランダムアクセスチャネル送信部１０４へ出力する。
【００４６】
第３の例として、ランダムアクセス制御部２０４は、移動通信端末装置２００の移動によって通信網に対して位置登録を行う必要が発生したことを認識するための装置を具備する構成であっても良い。この場合、この装置は、移動通信端末装置２００の移動によって通信網に対して位置登録を行う必要が発生した時にランダムアクセス要求を認識して、要求信号を生成する。そして、ランダムアクセス制御部２０４は、この装置によって生成された要求信号に基づいてＲＡＣＨ制御信号を生成してランダムアクセスチャネル送信部１０４へ出力する。
【００４７】
受信レベル測定部２０６は、データ受信部１０６から得られた受信データに基づいて受信レベルを測定する。なお、受信レベルとしては、たとえば、Ｅｃ／Ｉｏ（１チップ当たりの信号電力対干渉電力密度比）、ＲＳＣＰ（Ｒｅｃｅｉｖｅｄ  Ｓｉｇｎａｌ  Ｃｏｄｅ  Ｐｏｗｅｒ：特定のチャネルの受信電力）およびＳＩＲ（Ｓｉｇｎａｌ  ｔｏ  Ｉｎｔｅｒｆｅｒｅｎｃｅ  Ｐｏｗｅｒ  Ｒａｔｉｏ：希望波信号電力対干渉波信号電力比）などが挙げられる［標準化規格３ＧＰＰ（３ｒｄ  Ｇｅｎｅｒａｔｉｏｎ  Ｐａｒｔｎｅｒｓｈｉｐ  Ｐｒｏｊｅｃｔ）ＴＳ２５．２１５参照］。受信レベル測定部２０６は、測定された受信レベルを受信レベル判定部２１０へ出力する。
【００４８】
なお、実施の形態２において、受信レベルはデータ受信部１０６から得られた受信データに基づいて測定されているが、この構成に限定されない。たとえば、受信レベル測定部２０６は、セルサーチ部１０８によるセルサーチ実行時に測定された受信レベルを用いても良い。この場合、受信レベル測定部２０６の入力端子は、セルサーチ部１０８に接続される。
【００４９】
受信レベル判定部２１０は、受信レベル測定部２０６から得られた受信レベルを予め記憶されている所定値と比較することによって、ランダムアクセスチャネル送信部１０４によるＲＡＣＨ送信が失敗すると予想されるか否かを判定する。ＲＡＣＨ送信が失敗すると予想されるか否かの判定においてＲＡＣＨ送信が失敗すると予想されなかった場合（すなわち受信レベルが所定値より大きい場合）、受信レベル判定部２１０は、第１指示信号を生成して、セルサーチ制御部２０８へ出力する。
【００５０】
一方、ＲＡＣＨ送信が失敗すると予想された場合（すなわち受信レベルが所定値以下である場合）、受信レベル判定部２１０は、ランダムアクセスチャネル送信部１０４へのＲＡＣＨ制御信号の出力を一時的に停止させるようにランダムアクセス制御部２０４を制御するための停止信号を生成する。そして、受信レベル判定部２１０は、生成された停止信号をランダムアクセス制御部２０４へ出力する。また、受信レベル判定部２１０は、第２指示信号を生成して、セルサーチ制御部２０８へ出力する。
【００５１】
セルサーチ制御部２０８は、受信レベル判定部２１０から第１指示信号を得た場合、第１セルサーチ制御信号をセルサーチ部１０８へ出力する。また、セルサーチ制御部２０８は、受信レベル判定部２１０から第２指示信号を得た場合、第２セルサーチ制御信号をセルサーチ部１０８へ出力する。
【００５２】
セルサーチ部１０８は、セルサーチ制御部２０８からの制御信号に基づいて、複数の周波数の各々を用いてセルサーチを行う。具体的には、セルサーチ部１０８は、セルサーチ制御部２０８から第１セルサーチ制御信号を得た時に周波数ｆ１を用いて、周波数ｆ１を割り当てられたセルに対してセルサーチを行う。また、セルサーチ部１０８は、セルサーチ制御部２０８から第２セルサーチ制御信号を得た時に周波数ｆ１と異なる複数の周波数ｆＮ、ｆＮ＋１、…の各々を用いて、周波数ｆ１と異なる複数の周波数ｆＮ、ｆＮ＋１、…の各々を割り当てられたセルに対してセルサーチを行う。
【００５３】
すなわち、ＲＡＣＨ送信が失敗すると予想されない場合、ＲＡＣＨの送信処理を優先的に実行して周波数ｆ１を用いたセルサーチを実行する。一方、ＲＡＣＨ送信が失敗すると予想される場合、ＲＡＣＨの送信処理を停止して周波数ｆ１と異なる複数の周波数ｆＮ、ｆＮ＋１、…の各々を用いたセルサーチを優先的に実行することができる。
【００５４】
このように、実施の形態２によれば、受信データに基づいて受信レベルを測定し、測定された受信レベルが所定値以下である場合にＲＡＣＨの送信処理を一時的に停止して送信処理の停止期間中に周波数ｆ１と異なる複数の周波数ｆＮ、ｆＮ＋１、…の各々を用いたセルサーチを行わせるようにランダムアクセスチャネル送信部１０４およびセルサーチ部１０８を制御するため、測定された受信レベルに基づいてＲＡＣＨの送信処理が失敗すると予想される場合にＲＡＣＨの送信処理よりも周波数ｆ１と異なる複数の周波数ｆＮ、ｆＮ＋１、…の各々を用いたセルサーチを優先することができるから、無線リンクの接続の確立を安定させることができる。
【００５５】
なお、実施の形態２において、ＲＡＣＨの送信処理を停止して周波数ｆ１と異なる複数の周波数ｆＮ、ｆＮ＋１、…の各々を用いたセルサーチを優先的に実行するための構成は、上記のものに限定されない。たとえば、制御部２０２は、測定された自セルの受信レベルに基づいてＲＡＣＨの送信処理の頻度および周波数ｆ１と異なる複数の周波数ｆＮ、ｆＮ＋１、…の各々を用いたセルサーチの頻度をそれぞれ決定するための装置を具備する構成であっても良い。
【００５６】
また、実施の形態２において、周波数ｆＮ、ｆＮ＋１、…の各々用いたセルサーチを実行するか否かは自セルの受信レベルに基づいて決定されているが、これに限定されない。たとえば、受信レベル測定部２０６は、自セル以外のセルの受信レベルを測定するような構成であっても良い。
【００５７】
（実施の形態３）
図３は、本発明の実施の形態３に係る移動通信端末装置の構成を示すブロック図である。なお、実施の形態３に係る移動通信端末装置は、実施の形態２に係る移動通信端末装置２００と同一の基本的構成を有しており、同一の構成要素には同一の参照符号を付し、その説明を省略する。
【００５８】
図３示す移動通信端末装置３００は、移動通信端末装置２００における制御部２０２の代わりに制御部３０２を具備して成るものである。制御部３０２は、制御部２０２における受信レベル測定部２０６および受信レベル判定部２１０の代わりに受信品質測定部３０４および受信品質判定部３０６を具備して成るものである。
【００５９】
ランダムアクセスチャネル送信部１０４の入力端子は、ランダムアクセス制御部２０４に接続されている。ランダムアクセスチャネル送信部１０４の出力端子は、アンテナ１０２に接続されている。データ受信部１０６の入力端子は、アンテナ１０２の接続されている。セルサーチ部１０８の入力端子は、アンテナ１０２およびセルサーチ制御部２０８に接続されている。ランダムアクセス制御部２０４の入力端子は、受信品質判定部３０６に接続されている。受信品質測定部３０４の入力端子は、データ受信部１０６に接続されている。セルサーチ制御部２０８の入力端子は、受信品質判定部３０６に接続されている。受信品質判定部３０６の入力端子は、受信品質測定部３０４に接続されている。
【００６０】
受信品質測定部３０４は、データ受信部１０６から得られた受信データに基づいて受信品質を測定する。なお、受信品質としては、たとえば、ビット誤り率（ＢＥＲ：Ｂｉｔ  Ｅｒｒｏｒ  Ｒａｔｅ）、ブロック誤り率（ＢＬＥＲ：ＢＬｏｃｋ  Ｅｒｒｏｒ  Ｒａｔｅ）およびフレーム誤り率（ＦＥＲ：Ｆｒａｍｅ  Ｅｒｒｏｒ  Ｒａｔｅ）などが挙げられる。受信品質測定部３０４は、測定された受信品質を受信品質判定部３０６へ出力する。
【００６１】
受信品質判定部３０６は、受信品質測定部３０４から得られた受信品質を予め記憶されている所定値と比較することによって、ランダムアクセスチャネル送信部１０４によるＲＡＣＨ送信が失敗することが予想されるか否かを判定する。ＲＡＣＨ送信が失敗すると予想されるか否かの判定においてＲＡＣＨ送信が失敗すると予想されなかった場合（すなわち受信品質が所定値より大きい場合）、受信品質判定部３０６は、第１指示信号を生成して、セルサーチ制御部２０８へ出力する。
【００６２】
一方、ＲＡＣＨ送信が失敗すると予想された場合（すなわち受信品質が所定値以下である場合）、受信品質判定部３０６は、ランダムアクセスチャネル送信部１０４へのＲＡＣＨ制御信号の出力を一時的に停止させるようにランダムアクセス制御部２０４を制御するための停止信号を生成する。そして、受信品質判定部３０６は、生成された停止信号をランダムアクセス制御部２０４へ出力する。また、受信品質判定部３０６は、第２指示信号を生成して、セルサーチ制御部２０８へ出力する。
【００６３】
セルサーチ部１０８は、セルサーチ制御部２０８からの制御信号に基づいて、複数の周波数の各々を用いてセルサーチを行う。具体的には、セルサーチ部１０８は、セルサーチ制御部２０８から第１セルサーチ制御信号を得た時に周波数ｆ１を用いて、周波数ｆ１を割り当てられたセルに対してセルサーチを行う。また、セルサーチ部１０８は、セルサーチ制御部２０８から第２セルサーチ制御信号を得た時に周波数ｆ１と異なる複数の周波数ｆＮ、ｆＮ＋１、…の各々を用いて、周波数ｆ１と異なる複数の周波数ｆＮ、ｆＮ＋１、…の各々を割り当てられたセルに対してセルサーチを行う。
【００６４】
すなわち、ＲＡＣＨ送信が失敗すると予想されない場合、ＲＡＣＨの送信処理を優先的に実行して周波数ｆ１を用いたセルサーチを実行する。一方、ＲＡＣＨ送信が失敗すると予想される場合、ＲＡＣＨの送信処理を停止して周波数ｆ１と異なる複数の周波数ｆＮ、ｆＮ＋１、…の各々を用いたセルサーチを優先的に実行することができる。
【００６５】
このように、実施の形態３によれば、受信データに基づいて受信品質を測定し、測定された受信品質が所定値以下である場合にＲＡＣＨの送信処理を一時的に停止して送信処理の停止期間中に周波数ｆ１と異なる複数の周波数ｆＮ、ｆＮ＋１、…の各々を用いたセルサーチを行わせるようにランダムアクセスチャネル送信部１０４およびセルサーチ部１０８を制御するため、測定された受信品質に基づいてＲＡＣＨの送信処理が失敗すると予想される場合にＲＡＣＨの送信処理よりも周波数ｆ１と異なる複数の周波数ｆＮ、ｆＮ＋１、…の各々を用いたセルサーチを優先することができるから、無線リンクの接続の確立を安定させることができる。
【００６６】
なお、実施の形態３において、ＲＡＣＨの送信処理を停止して周波数ｆ１と異なる複数の周波数ｆＮ、ｆＮ＋１、…の各々を用いたセルサーチを優先的に実行するための構成は、上記のものに限定されない。たとえば、制御部３０２は、測定された自セルの受信品質に基づいてＲＡＣＨの送信処理の頻度および周波数ｆ１と異なる複数の周波数ｆＮ、ｆＮ＋１、…の各々を用いたセルサーチの頻度をそれぞれ決定するための装置を具備する構成であっても良い。
【００６７】
（実施の形態４）
図４は、本発明の実施の形態４に係る移動通信端末装置の構成を示すブロック図である。なお、実施の形態４に係る移動通信端末装置は、実施の形態２に係る移動通信端末装置２００と同一の基本的構成を有しており、同一の構成要素には同一の参照符号を付し、その説明を省略する。
【００６８】
図４に示す移動通信端末装置４００は、移動通信端末装置２００における制御部２０２の代わりに制御部４０２を具備して成るものである。制御部４０２は、制御部２０２における受信レベル判定部２１０の代わりに、伝搬損失算出部４０４および伝搬損失判定部４０６を具備して成るものである。
【００６９】
ランダムアクセスチャネル送信部１０４の入力端子は、ランダムアクセス制御部２０４に接続されている。ランダムアクセスチャネル送信部１０４の出力端子は、アンテナ１０２に接続されている。データ受信部１０６の入力端子は、アンテナ１０２の接続されている。セルサーチ部１０８の入力端子は、アンテナ１０２およびセルサーチ制御部２０８に接続されている。ランダムアクセス制御部２０４の入力端子は、伝搬損失判定部４０６に接続されている。受信レベル測定部２０６の入力端子は、データ受信部１０６に接続されている。伝搬損失算出部４０４の入力端子は、データ受信部１０６および受信レベル測定部２０６に接続されている。セルサーチ制御部２０８の入力端子は、伝搬損失判定部４０６に接続されている。伝搬損失判定部４０６の入力端子は、伝搬損失算出部４０４に接続されている。
【００７０】
伝搬損失算出部４０４は、データ受信部１０６から得られた受信データおよび受信レベル測定部２０６から得られた受信レベルに基づいて伝搬損失を算出する。具体的には、伝搬損失算出部４０４は、データ受信部１０６から得られた受信データに基づいて、基地局装置の送信電力の値を示す送信電力情報を取得する。そして、伝搬損失算出部４０４は、取得された送信電力情報および受信レベル測定部２０６から得られた受信レベルを用いて伝搬損失を算出する。このように伝搬損失を算出することによって移動通信端末装置４００から基地局装置までの距離を推定することができる。さらに、基地局装置までの距離を推定することができるため、送信されたＲＡＣＨの基地局装置への届き易さを推定することができる。そして、伝搬損失算出部４０４は、算出された伝搬損失を伝搬損失判定部４０６へ出力する。
【００７１】
伝搬損失判定部４０６は、伝搬損失算出部４０４から得られた伝搬損失を予め記憶されている所定値と比較することによって、ランダムアクセスチャネル送信部１０４によるＲＡＣＨ送信が失敗することが予想されるか否かを判定する。
【００７２】
ＲＡＣＨ送信が失敗すると予想されるか否かの判定においてＲＡＣＨ送信が失敗すると予想されなかった場合（すなわち伝搬損失が所定値未満である場合）、伝搬損失判定部４０６は、第１指示信号を生成して、セルサーチ制御部２０８へ出力する。
【００７３】
一方、ＲＡＣＨ送信が失敗すると予想された場合（すなわち伝搬損失が所定値以上である場合）、伝搬損失判定部４０６は、ランダムアクセスチャネル送信部１０４へのＲＡＣＨ制御信号の出力を一時的に停止させるようにランダムアクセス制御部２０４を制御するための停止信号を生成する。そして、伝搬損失判定部４０６は、生成された停止信号をランダムアクセス制御部２０４へ出力する。また、伝搬損失判定部４０６は、第２指示信号を生成して、セルサーチ制御部２０８へ出力する。
【００７４】
セルサーチ部１０８は、セルサーチ制御部２０８からの制御信号に基づいて、複数の周波数の各々を用いてセルサーチを行う。具体的には、セルサーチ部１０８は、セルサーチ制御部２０８から第１セルサーチ制御信号を得た時に周波数ｆ１を用いて、周波数ｆ１を割り当てられたセルに対してセルサーチを行う。また、セルサーチ部１０８は、セルサーチ制御部２０８から第２セルサーチ制御信号を得た時に周波数ｆ１と異なる複数の周波数ｆＮ、ｆＮ＋１、…の各々を用いて、周波数ｆ１と異なる複数の周波数ｆＮ、ｆＮ＋１、…の各々を割り当てられたセルに対してセルサーチを行う。
【００７５】
すなわち、ＲＡＣＨ送信が失敗すると予想されない場合、ＲＡＣＨの送信処理を優先的に実行して周波数ｆ１を用いたセルサーチを実行する。一方、ＲＡＣＨ送信が失敗すると予想される場合、ＲＡＣＨの送信処理を停止して周波数ｆ１と異なる複数の周波数ｆＮ、ｆＮ＋１、…の各々を用いたセルサーチを優先的に実行することができる。
【００７６】
このように、実施の形態４によれば、受信データに基づいて伝搬損失を算出して、算出された伝搬損失が所定値以上である場合にＲＡＣＨの送信処理を一時的に停止して送信処理の停止期間中に周波数ｆ１と異なる複数の周波数ｆＮ、ｆＮ＋１、…の各々を用いたセルサーチを行わせるようにランダムアクセスチャネル送信部１０４およびセルサーチ部１０８を制御するため、算出された伝搬損失に基づいてＲＡＣＨの送信処理が失敗すると予想される場合にＲＡＣＨの送信処理よりも周波数ｆ１と異なる複数の周波数ｆＮ、ｆＮ＋１、…の各々を用いたセルサーチを優先することができるから、無線リンクの接続の確立を安定させることができる。
【００７７】
なお、実施の形態４において、ＲＡＣＨの送信処理を停止して周波数ｆ１と異なる複数の周波数ｆＮ、ｆＮ＋１、…の各々を用いたセルサーチを優先的に実行するための構成は、上記のものに限定されない。たとえば、制御部４０２は、算出された伝搬損失に基づいてＲＡＣＨの送信処理の頻度および周波数ｆ１と異なる複数の周波数ｆＮ、ｆＮ＋１、…の各々を用いたセルサーチの頻度をそれぞれ決定するための装置を具備する構成であっても良い。
【００７８】
（実施の形態５）
図５は、実施の形態５に係る移動通信端末装置の構成を示すブロック図である。なお、実施の形態５に係る移動通信端末装置は、実施の形態２に係る移動通信端末装置２００と同一の基本的構成を有しており、同一の構成要素には同一の参照符号を付し、その説明を省略する。
【００７９】
図５に示す移動通信端末装置５００は、移動通信端末装置２００における制御部２０２の代わりに制御部５０２を具備して成るものである。制御部５０２は、制御部２０２における受信レベル測定部２０６および受信レベル判定部２１０の代わりに、送信成功率算出部５０４および送信成功率判定部５０６を具備して成るものである。
【００８０】
ランダムアクセスチャネル送信部１０４の入力端子は、ランダムアクセス制御部２０４に接続されている。ランダムアクセスチャネル送信部１０４の出力端子は、アンテナ１０２に接続されている。データ受信部１０６の入力端子は、アンテナ１０２の接続されている。セルサーチ部１０８の入力端子は、アンテナ１０２およびセルサーチ制御部２０８に接続されている。ランダムアクセス制御部２０４の入力端子は、送信成功率判定部５０６に接続されている。送信成功率算出部５０４の入力端子は、データ受信部１０６に接続されている。セルサーチ制御部２０８の入力端子は、送信成功率判定部５０６に接続されている。送信成功率判定部５０６の入力端子は、送信成功率算出部５０４に接続されている。
【００８１】
送信成功率算出部５０４は、データ受信部１０６から得られた受信データから、ランダムアクセスチャネル送信部１０４によるＲＡＣＨ送信が成功したことを示す送信成功情報を抽出する。なお、ＲＡＣＨ送信が成功したことを示す情報としては、たとえば、プリアンブルの送信に対して基地局装置から送信されたＡＩＣＨ上の肯定応答（ＡＣＫ：ＡＣＫｎｏｗｌｅｄｇｍｅｎｔ）、およびメッセージの送信に対して基地局装置から送信された応答信号、などが挙げられる。そして、送信成功率算出部５０４は、抽出された送信成功情報を用いてＲＡＣＨ送信が成功した確率を算出して送信成功率を生成する。送信成功率算出部５０４は、生成された送信成功率を送信成功率判定部５０６へ出力する。
【００８２】
送信成功率判定部５０６は、送信成功率算出部５０４から得られた送信成功率を予め記憶されている所定値と比較することによって、ランダムアクセスチャネル送信部１０４によるＲＡＣＨ送信が失敗することが予想されるか否かを判定する。
【００８３】
ＲＡＣＨ送信が失敗すると予想されるか否かの判定においてＲＡＣＨ送信が失敗すると予想されなかった場合（すなわち送信成功率が所定値より大きい場合）、送信成功率判定部５０６は、第１指示信号を生成して、セルサーチ制御部２０８へ出力する。
【００８４】
一方、ＲＡＣＨ送信が失敗すると予想された場合（すなわち送信成功率が所定値以下である場合）、送信成功率判定部５０６は、ランダムアクセスチャネル送信部１０４へのＲＡＣＨ制御信号の出力を一時的に停止させるようにランダムアクセス制御部２０４を制御するための停止信号を生成する。そして、送信成功率判定部５０６は、生成された停止信号をランダムアクセス制御部２０４へ出力する。また、送信成功率判定部５０６は、第２指示信号を生成して、セルサーチ制御部２０８へ出力する。
【００８５】
セルサーチ部１０８は、セルサーチ制御部２０８からの制御信号に基づいて、複数の周波数の各々を用いてセルサーチを行う。具体的には、セルサーチ部１０８は、セルサーチ制御部２０８から第１セルサーチ制御信号を得た時に周波数ｆ１を用いて、周波数ｆ１を割り当てられたセルに対してセルサーチを行う。また、セルサーチ部１０８は、セルサーチ制御部２０８から第２セルサーチ制御信号を得た時に周波数ｆ１と異なる複数の周波数ｆＮ、ｆＮ＋１、…の各々を用いて、周波数ｆ１と異なる複数の周波数ｆＮ、ｆＮ＋１、…の各々を割り当てられたセルに対してセルサーチを行う。
【００８６】
すなわち、ＲＡＣＨ送信が失敗すると予想されない場合、ＲＡＣＨの送信処理を優先的に実行して周波数ｆ１を用いたセルサーチを実行する。一方、ＲＡＣＨ送信が失敗すると予想される場合、ＲＡＣＨの送信処理を停止して周波数ｆ１と異なる複数の周波数ｆＮ、ｆＮ＋１、…の各々を用いたセルサーチを優先的に実行することができる。
【００８７】
このように、実施の形態５によれば、受信データに基づいて送信成功率を生成して、生成された送信成功率が所定値以下である場合にＲＡＣＨの送信処理を一時的に停止して送信処理の停止期間中に周波数ｆ１と異なる複数の周波数ｆＮ、ｆＮ＋１、…の各々を用いたセルサーチを行わせるようにランダムアクセスチャネル送信部１０４およびセルサーチ部１０８を制御するため、生成された送信成功率に基づいてＲＡＣＨの送信処理が失敗すると予想される場合にＲＡＣＨの送信処理よりも周波数ｆ１と異なる複数の周波数ｆＮ、ｆＮ＋１、…の各々を用いたセルサーチを優先することができるから、無線リンクの接続の確立を安定させることができる。
【００８８】
なお、実施の形態５において、ＲＡＣＨの送信処理を停止して周波数ｆ１と異なる複数の周波数ｆＮ、ｆＮ＋１、…の各々を用いたセルサーチを優先的に実行するための構成は、上記のものに限定されない。たとえば、制御部５０２は、生成された送信成功率に基づいてＲＡＣＨの送信処理の頻度および周波数ｆ１と異なる複数の周波数ｆＮ、ｆＮ＋１、…の各々を用いたセルサーチの頻度をそれぞれ決定するための装置を具備する構成であっても良い。
【００８９】
【発明の効果】
以上説明したように、本発明によれば、受信データに基づいて、ランダムアクセスチャネルの送信処理を一時的に停止して送信処理の停止期間中に複数の周波数のうち信号を受信する周波数と異なる複数の周波数を用いたセルサーチを行わせるか否かを制御するため、無線リンクの接続の確立を安定させることができる。
【図面の簡単な説明】
【図１】本発明の実施の形態１に係る移動通信端末装置の構成を示すブロック図
【図２】本発明の実施の形態２に係る移動通信端末装置の構成を示すブロック図
【図３】本発明の実施の形態３に係る移動通信端末装置の構成を示すブロック図
【図４】本発明の実施の形態４に係る移動通信端末装置の構成を示すブロック図
【図５】本発明の実施の形態５に係る移動通信端末装置の構成を示すブロック図
【図６】従来の移動通信端末装置の構成の一例を示すブロック図
【図７】従来の移動通信端末装置の動作の一例を説明するための図
【符号の説明】
１００、２００、３００、４００、５００  移動通信端末装置
１０２  アンテナ
１０４  ランダムアクセスチャネル送信部
１０６  データ受信部
１０８  セルサーチ部
１１０、２０２、３０２、４０２、５０２  制御部
２０４  ランダムアクセス制御部
２０６  受信レベル測定部
２０８  セルサーチ制御部
２１０  受信レベル判定部
３０４  受信品質測定部
３０６  受信品質判定部
４０４  伝搬損失算出部
４０６  伝搬損失判定部
５０４  送信成功率算出部
５０６  送信成功率判定部
【図１】
2004165979.tif 000003
【図２】
2004165979.tif 000004
【図３】
2004165979.tif 000005
【図４】
2004165979.tif 000006
【図５】
2004165979.tif 000007
【図６】
2004165979.tif 000008
【図７】
2004165979.tif 000009